(57)【要約】【課題】出力装置に対してネットワークを介して通信可能に接続される処理装置のグループ形成を容易に行うことを可能にする。【解決手段】表示装置２００と撮像装置１００が通信可能に接続されるシステムにおいて、撮像装置１００は、映像信号の表示処理を同期して行うグループを示す同期グループＩＤの決まっていない表示装置からレポート情報５００を受信すると、受信から所定時間の計測を開始する。計測開始してから所定時間が経過するまでの間に同期グループＩＤの決まっていない表示装置から送信されてきたレポート情報５００を受信した場合には、それらの表示装置へ送信するセッティング情報に同じ同期グループＩＤを付与する。【選択図】図８
2020108005.tif 000002
【特許請求の範囲】
【請求項１】
処理装置と通信可能に接続される出力装置であって、
前記処理装置へ映像信号を出力する出力手段と、
複数の前記処理装置に前記映像信号に対する所定の処理を同期して実行させるための同期情報を、前記複数の処理装置により構成されるグループを示すグループＩＤを含ませて生成する生成手段と、
前記同期情報を前記処理装置へ送信する送信手段と、
前記処理装置から前記所定の処理に関する処理情報を受信する受信手段と、
前記グループＩＤの決まっていない処理装置から送信されてきた処理情報を受信してから所定の時間を計測する計測手段と、を備え、
前記生成手段は、前記所定の時間の計測を開始してから前記所定の時間が経過するまでの間に前記グループＩＤの決まっていない処理装置から送信されてきた処理情報を受信した場合に、前記処理装置へ送信する同期情報には同じグループＩＤを付与することを特徴とする出力装置。
【請求項２】
前記処理情報は、前記処理装置が前記所定の処理を実行した時刻を含み、
前記出力装置が映像信号を送信した時刻から前記処理装置が前記映像信号に対して前記所定の処理を実行した時刻までの時間に応じて前記所定の時間を設定する設定手段を備えることを特徴とする請求項１に記載の出力装置。
【請求項３】
前記処理情報は、前記処理装置が前記映像信号を受信した時刻を含み、
前記出力装置が前記映像信号を送信した時刻から前記処理装置が前記映像信号を受信した時刻までの時間に応じて前記所定の時間を設定する設定手段を備えることを特徴とする請求項１に記載の出力装置。
【請求項４】
前記計測手段は、前記グループＩＤの決まっていない処理装置から送信されてきた処理情報を受信する度に、前記所定の時間をリセットして前記所定の時間を計測し直すことを特徴とする請求項１乃至３のいずれか１項に記載の出力装置。
【請求項５】
前記同期情報は、複数の前記処理装置が同期して前記所定の処理を行うための時間情報を含み、
前記生成手段は、前記所定の時間が経過する前に前記グループＩＤの決まっていない処理装置から送信されてきた処理情報を受信した場合に前記処理装置へ送信する同期情報に、同じグループＩＤが付される処理装置の中で前記所定の処理が最も遅く行われる処理装置での前記時間情報を含めることを特徴とする請求項１乃至４のいずれか１項に記載の出力装置。
【請求項６】
前記生成手段は、前記所定の時間が経過した後に前記グループＩＤの決まっていない処理装置から送信されてきた処理情報を受信した場合に前記処理装置に対して送信する同期情報に、前記所定の時間が経過するまでに送信した同期情報に付与したグループＩＤとは異なるグループＩＤを付与することを特徴とする請求項１乃至５のいずれか１項に記載の出力装置。
【請求項７】
処理装置と通信可能に接続される出力装置であって、
前記処理装置へ映像信号を出力する出力手段と、
複数の前記処理装置に前記映像信号に対する所定の処理を同期して実行させるための同期情報を、前記複数の処理装置により構成されるグループを示すグループＩＤを含ませて生成する生成手段と、
前記同期情報を前記処理装置へ送信する送信手段と、
前記処理装置から前記所定の処理に関する処理情報を受信する受信手段と、
前記送信手段が送信した同期情報に付与されたグループＩＤを記憶する記憶手段と、を備え、
前記生成手段は、前記グループＩＤの決まっていない処理装置から送信されてきた処理情報を受信した場合、前記記憶手段に記憶されたグループＩＤがそれぞれに付与されたすべての同期情報を生成することを特徴とする出力装置。
【請求項８】
前記送信手段は、前記グループＩＤが決まっている処理装置から送信されてきた処理情報を受信した場合には前記処理情報に含まれるグループＩＤを付与した同期情報を第１の周期で送信し、前記グループＩＤの決まっていない処理装置から送信されてきた処理情報を受信した場合には前記記憶手段に記憶されたグループＩＤが付与された同期情報を前記第１の周期より早い第２の周期で送信することを特徴とする請求項７に記載の出力装置。
【請求項９】
前記生成手段は、前記グループＩＤの決まっていない処理装置から送信されてきた処理情報を受信する度に前記処理装置へ送信するために生成する同期情報に、前記記憶手段に記憶された同期情報のグループＩＤと、複数の前記処理装置が同期して前記所定の処理を行うための時間情報とを含めることを特徴とする請求項７に記載の出力装置。
【請求項１０】
処理装置と通信可能に接続される出力装置であって、
前記処理装置へ映像信号を出力する出力手段と、
前記映像信号に対する所定の処理を同期して実行する処理装置により構成されるグループの時間情報を前記グループに付与されたグループＩＤごとに記憶する記憶手段と、
前記処理装置から前記所定の処理に関する処理情報を受信する受信手段と、
前記処理情報に含まれる時間情報と前記記憶手段に記憶された時間情報とを前記グループＩＤごとに比較する比較手段と、
前記比較の結果に基づいて前記グループＩＤの決まっていない処理装置を加入させる既存のグループの優先順位を決定する決定手段と、
前記優先順位の高いグループの順に、前記グループＩＤと、これに対応する時間情報とを含む同期情報を生成する生成手段と、
前記同期情報を前記処理装置へ送信する送信手段と、を備え、ることを特徴とする出力装置。
【請求項１１】
前記時間情報は、前記出力装置が映像信号を送信した時刻から前記処理装置が前記映像信号に対して前記所定の処理を実行した時刻までの時間であり、
前記決定手段は、前記出力手段から映像信号が出力されてから前記映像信号に対して前記グループＩＤが決まっていない処理装置で前記所定の処理が実行されるまでの時間が短い順に優先順位を高くすることを特徴とする請求項１０に記載の出力装置。
【請求項１２】
前記受信手段は、自装置と通信可能に接続される処理装置の固有情報を受信し、
前記比較手段は、前記グループＩＤの決まっていない処理装置の固有情報と前記既存のグループの固有情報とを更に比較することを特徴とする請求項１１に記載の出力装置。
【請求項１３】
出力装置に通信可能に接続される処理装置であって、
映像信号と、前記映像信号を受信する別の処理装置と前記映像信号に対する所定の処理を同期させるための同期情報と、を前記出力装置から受信する受信手段と、
前記映像信号に前記所定の処理を実行する処理手段と、
前記出力装置から出力される映像信号に対する所定の処理を同期して実行する処理装置からなる既存のグループの情報を取得する取得手段と、
前記既存のグループの情報を表示する表示手段と、
前記表示手段に表示された前記既存のグループの情報から自装置を加入させる所定のグループを選択する選択手段と、を備えることを特徴とする処理装置。
【請求項１４】
前記選択手段により選択されたグループに自装置が加入すると、自装置が前記グループを形成している処理装置の中で前記所定の処理が最も遅く行われる処理装置となる場合に警告を発する警告手段を備えることを特徴とする請求項１３に記載の処理装置。
【請求項１５】
映像信号を出力する出力装置の制御方法であって、
処理装置へ映像信号を出力するステップと、
複数の前記処理装置に前記映像信号に対する所定の処理を同期して実行させるための同期情報を、前記複数の処理装置により構成されるグループを示すグループＩＤを含ませて生成するステップと、
生成された前記同期情報を前記処理装置へ送信するステップと、
前記処理装置での前記所定の処理に関する処理情報を受信するステップと、
前記グループＩＤの決まっていない処理装置から送信されてきた前記処理情報を受信してから所定の時間を計測するステップと、を有し、
前記同期情報を生成するステップでは、前記所定の時間の計測を開始してから前記所定の時間が経過するまでの間に前記グループＩＤの決まっていない処理装置から送信されてきた処理情報を受信した場合に、前記処理装置へ送信する同期情報に同じグループＩＤを付与することを特徴とする出力装置の制御方法。
【請求項１６】
映像信号を出力する出力装置の制御方法であって、
処理装置へ映像信号を出力するステップと、
複数の前記処理装置に前記映像信号に対する所定の処理を同期して実行させるための同期情報を、前記複数の処理装置により構成されるグループを示すグループＩＤを含ませて生成するステップと、
生成された前記同期情報を前記処理装置へ送信するステップと、
前記処理装置での前記所定の処理に関する処理情報を受信するステップと、
前記処理装置へ送信した同期情報に付与されたグループＩＤを記憶手段に記憶させるステップと、を有し、
前記同期情報を生成するステップでは、前記グループＩＤの決まっていない処理装置から送信されてきた処理情報を受信した場合、前記記憶手段に記憶されたグループＩＤがそれぞれに付与されたすべての同期情報を生成することを特徴とする出力装置の制御方法。
【請求項１７】
映像信号を出力する出力装置の制御方法であって、
処理装置へ映像信号を出力するステップと、
前記映像信号に対する所定の処理を同期して行う処理装置により形成された既存のグループでの時間情報を前記グループごとに付与されたグループＩＤごとに記憶手段に記憶するステップと、
前記グループＩＤの決まっていない処理装置から前記所定の処理に関する処理情報を受信した場合に、前記処理情報に含まれる時間情報と前記記憶手段に記憶された時間情報とを前記グループＩＤごとに比較するステップと、
前記比較の結果に基づき前記グループＩＤの決まっていない処理装置を加入させる既存のグループの優先順位を決定するステップと、
複数の前記処理装置に前記映像信号に対する所定の処理を同期して実行させるための時間情報と前記複数の処理装置により構成されるグループを示すグループＩＤとを含む同期情報を前記優先順位の高いグループの順に生成するステップと、
前記生成された同期情報を、前記グループＩＤの決まっていない処理装置へ送信するステップと、を有することを特徴とする出力装置の制御方法。
【請求項１８】
請求項１５乃至１７のいずれか１項に記載の出力装置の制御方法の各ステップをコンピュータに実行させることを特徴とするプログラム。
【請求項１９】
映像信号に所定の処理を実行する処理装置の制御方法であって、
出力装置に通信可能に接続されて前記所定の処理を同期して実行する処理装置からなる既存のグループの情報を前記出力装置から取得するステップと、
前記既存のグループの中から自装置を加入させるグループを選択可能に、前記既存のグループの情報を表示手段に表示するステップと、を有することを特徴とする処理装置の制御方法。
【請求項２０】
請求項１９に記載の処理装置の制御方法の各ステップをコンピュータに実行させることを特徴とするプログラム。
【請求項２１】
出力装置と、前記出力装置に対して通信可能に接続される処理装置と、を有する同期制御システムであって、
前記処理装置は、
前記出力装置から映像信号を受信する受信手段と、
前記映像信号に対して所定の処理を実行する処理手段と、
自装置が加入するグループが決まっていないことを示す情報を前記出力装置へ送信する送信手段を備え、
前記出力装置は、
前記処理装置へ映像信号を出力する出力手段と、
前記情報を受信する受信手段と、
前記情報を受信してから所定の時間を計測する計測手段と、
前記所定の時間の計測を開始してから前記所定の時間が経過するまでの間に前記情報を送信してきた処理装置へ送信する同期情報を生成する生成手段と、
前記同期情報を前記処理装置へ送信する送信手段と、を備え
前記同期情報には、前記所定の処理を同期して実行する処理装置のグループを示すグループＩＤに同じ値が付与されることを特徴とする同期制御システム。
【請求項２２】
出力装置と、前記出力装置に対して通信可能に接続される処理装置と、を有する同期制御システムであって、
前記出力装置は、
前記処理装置へ映像信号を出力する出力手段と、
自装置から出力される映像信号に対する所定の処理を同期して実行する処理装置からなる既存のグループの情報を記憶する記憶手段と、
前記処理装置から送信されてくる情報を受信する受信手段と、
加入するグループが決まっていないことを示す情報を送信してきた処理装置へ前記記憶手段に記憶された前記既存のグループの情報を送信する送信手段と、
前記処理装置は、
映像信号と前記既存のグループの情報を受信する受信手段と、
前記映像信号に前記所定の処理を実行する処理手段と、
前記既存のグループの情報を表示する表示手段と、
前記表示手段に表示された前記既存のグループの情報から自装置を加入させる所定のグループを選択する選択手段と、を備えることを特徴とする同期制御システム。
【請求項２３】
出力装置と、前記出力装置に対して通信可能に接続される処理装置と、を有する同期制御システムであって、
前記処理装置は、
前記出力装置から映像信号を受信する受信手段と、
前記映像信号に対して所定の処理を実行する処理手段と、
自装置が加入するグループが決まっていないこと及び自装置が映像信号に対して前記所定の処理を行うための時間情報を含む情報を前記出力装置へ送信する送信手段を備え、
前記出力装置は、
前記処理装置へ映像信号を出力する出力手段と、
前記映像信号に対する前記所定の処理を同期して実行する処理装置により構成されるグループの時間情報を前記グループに付与されたグループＩＤごとに記憶する記憶手段と、
前記情報を受信する受信手段と、
前記情報に含まれる時間情報と前記記憶手段に記憶された時間情報とを前記グループＩＤごとに比較する比較手段と、
前記比較の結果に基づき、前記グループＩＤの決まっていない処理装置を加入させる既存のグループの優先順位を決定する決定手段と、
前記優先順位の高いグループの順に、前記グループＩＤと、これに対応する時間情報とを含む同期情報を生成する生成手段と、
前記同期情報を前記処理装置へ送信する送信手段と、を備えることを特徴とする同期制御システム。
【発明の詳細な説明】
【技術分野】
【０００１】
本発明は、出力装置とその制御方法、処理装置とその制御方法、同期制御システム及びプログラムに関する。
【背景技術】
【０００２】
映像信号をＩｎｔｅｒｎｅｔ  Ｐｒｏｔｏｃｏｌ（以下「ＩＰ」という）に変換して、Ｌｏｃａｌ  Ａｒｅａ  Ｎｅｔｗｏｒｋ（以下「ＬＡＮ」という）ケーブル経由で送受信する技術は、設備の拡張性等の利便性から、今後普及することが想定される。この技術を用いることで、例えば、同一の出力装置から出力された映像信号等を、複数の受信装置で受信して処理することが可能である。
【０００３】
例えば、特許文献１には、管理装置と端末機器とを含むＬＡＮに未登録機器を接続して登録するシステムが開示されている。このシステムでは、ユーザが未登録機器の所定のボタンを押下し、管理装置が所定の初期信号受信期間に未登録機器から信号を受信すると、その未登録機器にＩＤを付与して登録する。
【０００４】
特許文献２には、グループ管理装置と各遊技台に併設された台間機とが通信回線を介して接続され、各遊技台で遊技する利用者のグループを管理するシステムが開示されている。このシステムでは、台間機は、利用者によるグループ利用開始操作を検出すると、現在登録されているグループ一覧の送信をグループ管理装置へ要求する。グループ管理装置は、台間機からのグループ一覧の送信要求に応じて、保持しているグループ参加データを参照してグループ一覧を生成し、台間機へ送信する。台間機は、グループ管理装置から取得したグループ一覧と、グループへの新規登録要求を行うための新規登録要求ボタンを表示部に表示する。
【０００５】
特許文献３には、ネットワークに接続された複数の端末からなるグループへ新たに加入する端末（以下「新規加入端末」という）があった場合、新規加入端末をどのグループに加入させるかを優先度に従って決定するグループ管理装置が開示されている。このグループ管理装置では、加入要求を受けたグループは、新規加入端末が自グループの基準を超えるか否かで、新規加入端末の加入の可否を判断する。その際に加入要求を受けたグループは、例えば、ＩＰアドレス、プロバイダ情報、デフォルトゲートウェイ、受け入れ希望レベル、過去実績等の項目に優先度を設けて、判断の尺度として利用している。
【先行技術文献】
【特許文献】
【０００６】
【特許文献１】特開２００７−１８４７０４号公報
【特許文献２】特開２０１７−２０２１２６号公報
【特許文献３】特許第５１４６５３９号公報
【発明の概要】
【発明が解決しようとする課題】
【０００７】
しかしながら、上記特許文献１に記載されたシステムでは、複数の未登録機器を管理装置に登録する場合には、１台の端末機器の登録作業が終わるまでは他の端末機器の登録作業を行うことができない。そのため、すべての未登録機器の登録を完了させるためには手間と時間がかかってしまう。上記特許文献２に記載されたシステムでは、管理装置がグループ一覧を新たに生成してネットワークを介して台間機へ送信する必要があるため、迅速な処理を行うことができないおそれがある。上記特許文献３に記載された管理装置では、新規加入端末が既存ネットワークグループに与える影響が十分に考慮されていない。
【０００８】
本発明は、出力装置に対してネットワークを介して通信可能に接続される処理装置のグループ形成を容易に行うことを可能とする技術を提供することを目的とする。
【課題を解決するための手段】
【０００９】
本発明に係る出力装置は、処理装置と通信可能に接続される出力装置であって、前記処理装置へ映像信号を出力する出力手段と、複数の前記処理装置に前記映像信号に対する所定の処理を同期して実行させるための同期情報を、前記複数の処理装置により構成されるグループを示すグループＩＤを含ませて生成する生成手段と、前記同期情報を前記処理装置へ送信する送信手段と、前記処理装置から前記所定の処理に関する処理情報を受信する受信手段と、前記グループＩＤの決まっていない処理装置から送信されてきた処理情報を受信してから所定の時間を計測する計測手段と、を備え、前記生成手段は、前記所定の時間の計測を開始してから前記所定の時間が経過するまでの間に前記グループＩＤの決まっていない処理装置から送信されてきた処理情報を受信した場合に、前記処理装置へ送信する同期情報には同じグループＩＤを付与することを特徴とする。
【発明の効果】
【００１０】
本発明によれば、出力装置に対してネットワークを介して通信可能に接続される処理装置のグループ形成を容易に行うことが可能になる。
【図面の簡単な説明】
【００１１】
【図１】撮像装置及び複数の表示装置を備える映像表示システムの構成図である。
【図２】図１の撮像装置が出力するＩＰ化された映像信号のデータ形式を示す模式図である。
【図３】図１の映像表示システムで用いられるレポート情報及びセッティング情報のデータ形式を示す模式図である。
【図４】図１の映像表示システムにおける映像表示同期処理のシーケンス図である。
【図５】第１実施形態での撮像装置の概略構成を示すブロック図である。
【図６】第１実施形態での表示装置の概略構成を示すブロック図である。
【図７】第１実施形態での表示装置で実行される、レポート情報に付加される同期グループＩＤの決定手順のフローチャートである。
【図８】第１実施形態での撮像装置で実行される、セッティング情報に付加される同期グループＩＤの決定手順のフローチャートである。
【図９】第２実施形態での撮像装置で実行される、セッティング情報に付加される同期グループＩＤの決定手順のフローチャートである。
【図１０】第３実施形態での撮像装置で実行される、セッティング情報に付加される同期グループＩＤの決定手順のフローチャートである。
【図１１】第４実施形態での表示装置の概略構成を示すブロック図である。
【図１２】第４実施形態での撮像装置で実行される、セッティング情報に付加される同期グループＩＤの決定手順のフローチャートである。
【図１３】第４実施形態での表示装置で実行される、レポート情報に付加される同期グループＩＤの決定手順のフローチャートである。
【図１４】表示同期グループ一覧表示画面の例を示す図である。
【図１５】第５実施形態での撮像装置で実行される、セッティング情報に付加される同期グループＩＤの決定手順のフローチャートである。
【図１６】第５実施形態での表示装置で実行される、レポート情報に付加される同期グループＩＤの決定手順のフローチャートである。
【図１７】第６実施形態での撮像装置の概略構成を示すブロック図である。
【図１８】第６実施形態での表示装置のネットワークグループへの加入処理を説明するフローチャートである。
【図１９】遅延量比較テーブルの例を示す図である。
【図２０】図１８（ｂ）のフローチャートの変形例に係るフローチャートである。
【図２１】情報比較テーブルの例を示す図である。
【発明を実施するための形態】
【００１２】
以下、本発明の実施形態について、添付図面を参照して詳細に説明する。以下の説明では、本発明に係る同期制御システムの一例として、出力装置としての撮像装置と処理装置としての複数の表示装置とが通信可能に接続された映像表示システムを取り上げる。
【００１３】
＜第１実施形態＞
図１は、本発明の実施形態に係る映像表示システムの概略構成を説明する図である。図１に示す映像表示システムは、被写体を撮像して映像信号として外部に送出する撮像装置１００（出力装置）と、ＩＰネットワーク４００を介して接続され、映像信号を受信して表示する表示装置２００ａ〜２００ｄを有する。
【００１４】
ここでは、４台の表示装置２００ａ〜２００ｄが例示的に撮像装置１００と通信可能に接続された構成が示されているが、撮像装置１００と通信可能に接続可能な表示装置の台数はこれに限定されるものではない。また、本実施形態に係る映像表示システムでは、加入している表示装置の離脱と新たな表示装置の加入が可能であり、図１には表示装置２００ｆが新たに加入可能な態様が模式的に示されている。映像表示システムへの表示装置２００ｆの加入については第６実施形態として後述することとし、第１実施形態では表示装置２００ｆは映像表示システムに加入していないものとする。
【００１５】
撮像装置１００はＬＡＮケーブル３００ｅでＩＰネットワーク４００と接続され、表示装置２００ａ〜２００ｄはＬＡＮケーブル３００ａ〜３００ｄでＩＰネットワーク４００と接続されている。以下の説明では、表示装置２００ａ〜２００ｄを総称する場合には「表示装置２００」と言い、ＬＡＮケーブル３００ａ〜３００ｅを総称する場合には「ＬＡＮケーブル３００」と言う。
【００１６】
撮像装置１００と表示装置２００は、ＬＡＮケーブル３００とＩＰネットワーク４００を介して、ＲＴＰパケット化された映像信号の送受信を行う。図１の映像表示システムでは、ＲＦＣ７２７２（ｈｔｔｐｓ：／／ｔｏｏｌｓ．ｉｅｔｆ．ｏｒｇ／ｈｔｍｌ／ｒｆｃ７２７２）に開示されている方法を用いて、表示装置２００で実行される処理の同期が行われる。同期の方法については、後述する。
【００１７】
撮像装置１００は、被写体を撮像して得られた映像信号をＩＰ化して、ＩＰネットワーク４００を介して表示装置２００に出力する出力装置である。このＩＰ化の方法としては、例えば、ＲＦＣ４１７５（ｈｔｔｐｓ：／／ｔｏｏｌｓ．ｉｅｔｆ．ｏｒｇ／ｒｆｃ／ｒｆｃ４１７５．ｔｘｔ）に記載される、Ｒｅａｌ  Ｔｒａｎｓｐｏｒｔ  Ｐｒｏｔｏｃｏｌ（ＲＴＰ）パケットに変換する手段が用いられる。また、撮像装置１００は、複数の表示装置２００が互いに同期して表示処理を実行可能なように、表示処理のタイミングを示す同期情報としてのセッティング情報（ＩＤＭＳ  Ｓｅｔｔｉｎｇｓ  Ｐａｃｋｅｔ）を出力する。セッティング情報の詳細については後述する。
【００１８】
表示装置２００は、ＩＰネットワーク４００を介して映像信号を受信し、受信した映像信号に対する所定の処理を行う処理装置である。また、表示装置２００は、受信した映像信号に基づいて画像を表示する表示部を備える表示装置である。表示装置２００は、内部に記憶媒体を備え或いは外部記憶装置が接続されることによりデータ記憶機能を有する場合には、受信した映像信号を記憶する記憶制御を実行可能な記憶制御装置でもある。このように、第１実施形態では、表示装置２００は、撮像装置１００から取得した映像信号に基づく画像の表示や、その映像信号の記憶制御を行う。なお、表示装置２００により行われる処理は、映像信号に基づいて行われる処理であればよく、表示処理と記憶処理に限定されるものではない。
【００１９】
表示装置２００は、映像信号の受信時刻と、その映像信号に基づいて画像が表示された時刻及び自装置が所属するネットワークグループを示すＩＤ情報とを含むレポート情報（処理情報）を出力する。具体的には、ＲＴＣＰ  ＸＲ  ＩＤＭＳ  Ｒｅｐｏｒｔ  Ｂｌｏｃｋがレポート情報として出力される。レポート情報の詳細は後述する。
【００２０】
図２は、撮像装置１００が出力するＩＰ化（ＲＴＰパケット化）した映像信号のデータ形式を示す模式図である。ＲＴＰパケットは、ＩＰヘッダー４０１、Ｕｓｅｒ  Ｄａｔａｇｒａｍ  Ｐｒｏｔｏｃｏｌ（図２に「ＵＤＰ」と言う）ヘッダー４０２、ＲＴＰヘッダー４０３及びＲＴＰペイロード４０４で構成される。このうち映像信号は、ＲＴＰペイロード４０４に格納される。
【００２１】
図３は、図１の映像表示システムで用いられるレポート情報及びセッティング情報のデータ形式を示す模式図である。図３（ａ）は、表示装置２００から送信されるレポート情報５００のデータ形式の一部を示す模式図である。レポート情報５００は、グループＩＤ情報５０１、受信時刻情報５０２、対象信号情報５０３及び処理時刻情報５０４を含む。グループＩＤ情報５０１は、同期に関する情報を示すＭｅｄｉａ  Ｓｔｒｅａｍ  Ｃｏｒｒｅｌａｔｉｏｎ  Ｉｄｅｎｔｉｆｉｅｒである。グループＩＤ情報５０１には、映像表示同期を行うネットワークグループを示すＳｙｎｃｈｒｏｎｉｚａｔｉｏｎ  Ｇｒｏｕｐ  Ｉｄｅｎｔｉｆｉｅｒ（グループ情報）が含まれる。以降、Ｓｙｎｃｈｒｏｎｉｚａｔｉｏｎ  Ｇｒｏｕｐ  Ｉｄｅｎｔｉｆｉｅｒを「同期グループＩＤ」と言う。図１の映像表示システムにおいて、表示処理を同期させて行う表示装置２００の同期グループＩＤは同一の値となる。
【００２２】
対象信号情報５０３は、レポート情報５００が対象とする映像信号（ＲＴＰパケット）を特定するための情報である。対象信号情報５０３は具体的には、ＲＦＣ４１７５に記載のＲＴＰ  Ｈｅａｄｅｒのｔｉｍｅｓｔａｍｐ（Ｐａｃｋｅｔ  Ｒｅｃｅｉｖｅｄ  ＲＴＰ  ｔｉｍｅｓｔａｍｐ）である。受信時刻情報５０２は、表示装置２００が対象信号情報５０３で特定されるＲＴＰパケットを受信した時刻を示す情報である。受信時刻情報５０２は具体的には、ＲＦＣ７２７２で定義されるＰａｃｋｅｔ  Ｒｅｃｅｉｖｅｄ  ＮＴＰ  ｔｉｍｅｓｔａｍｐである。処理時刻情報５０４は、表示装置２００が対象信号情報５０３で特定されるＲＴＰパケットに基づいて、画像を表示した時刻を示す情報である。処理時刻情報５０４は具体的には、ＲＦＣ７２７２で定義されるＰａｃｋｅｔ  Ｐｒｅｓｅｎｔｅｄ  ＮＴＰ  ｔｉｍｅｓｔａｍｐである。
【００２３】
図３（ｂ）は、撮像装置１００から出力されるセッティング情報６００のデータ形式の一部を示す模式図である。セッティング情報６００は、グループＩＤ情報６０１、受信時刻情報６０２、対象信号情報６０３及び処理時刻情報６０４を含む。撮像装置１００が出力するセッティング情報６００は、撮像装置１００が取得した表示装置２００からのレポート情報５００のうち、撮像装置１００が参照装置として決定した表示装置から受信したレポート情報である。したがって、セッティング情報６００のグループＩＤ情報６０１、受信時刻情報６０２、対象信号情報６０３及び処理時刻情報６０４の詳細は、レポート情報５００の同名の情報と同様であるので説明を省略する。
【００２４】
図４は、図１の映像表示システム（加入：表示装置２００ａ〜２００ｄ、未加入：表示装置２００ｆ）構成での同期制御処理の手順を示すシーケンス図である。なお、図４に示すＳ番号は、処理の順序（ステップ）を表している。
【００２５】
撮像装置１００と表示装置２００との間の接続が、ＬＡＮケーブル３００とＩＰネットワーク４００を介して確立される（Ｓ４００ａ〜Ｓ４００ｄ）。表示装置２００は、表示処理の同期を取るためのネットワークグループを示す同期グループＩＤを設定する（Ｓ４０１ａ〜Ｓ４０１ｄ）。表示装置２００が加入するネットワークグループは、表示装置２００に対して予め設定されている情報に基づいて、表示装置２００が決定する。なお、Ｓ４００ａ〜Ｓ４００ｄの接続の確立とＳ４０１ａ〜Ｓ４０１ｄの同期グループＩＤの決定は、順序が前後してもよい。
【００２６】
表示装置２００は、任意の映像信号に対するレポート情報５００を生成し、撮像装置１００へ出力する（Ｓ４０２ａ〜Ｓ４０２ｄ）。撮像装置１００は、表示装置２００から出力されたレポート情報５００を受信する。撮像装置１００は、受信したレポート情報５００に基づきセッティング情報６００を生成し、表示装置２００へ送信する（Ｓ４０３ａ〜Ｓ４０３ｄ）。
【００２７】
表示装置２００は、撮像装置１００から受信したセッティング情報６００や映像信号の情報を用いてレポート情報５００を生成し、撮像装置１００へ出力する（Ｓ４０４ａ〜Ｓ４０４ｄ）。撮像装置１００は、受信したレポート情報５００に基づき、表示装置２００のうちの１つを参照装置として決定する（Ｓ４０５）。撮像装置１００は、参照装置として決定した表示装置から受信したレポート情報５００を、表示装置２００へセッティング情報６００として出力する（Ｓ４０６ａ〜Ｓ４０６ｄ）。
【００２８】
表示装置２００は、受信したセッティング情報６００に記載された受信時刻情報６０２と処理時刻情報６０４に基づいて、表示装置２００での表示処理時刻を調整する（Ｓ４０７ａ〜Ｓ４０７ｄ）。具体的には、表示装置２００は、受信したセッティング情報６００に記載された処理時刻情報６０４で示される表示時刻Ｔａと、受信したセッティング情報６００の対象とする映像信号を自装置が処理した表示時刻Ｔｂとの差を算出する。そして、算出された差から、参照装置と処理を同期させるために処理時刻を遅延するための時間情報（以下「遅延量」という）を取得する。表示装置２００は、取得した遅延量が処理時間に加算されるように表示処理を制御する。
【００２９】
以上の処理により、表示装置２００は、それぞれが属するネットワークグループの参照装置と同期させて、撮像装置１００から出力された映像信号を表示する。なお、表示装置２００からのレポート情報５００の送信は一定周期で行われる。レポート情報５００の送信は、所定の期間内に少なくとも１回以上実行されるように表示装置２００で制御されてもよい。また、撮像装置１００は、表示装置２００からレポート情報５００を所定回数以上受信したことに応じてセッティング情報６００を出力する。撮像装置１００からのセッティング情報６００の送信は一定周期で行われる。これにより周期的又は断続的に同期制御が実行されることで、撮像装置１００から表示装置２００への各種情報の伝送時間や表示装置２００での処理時間が変動しても、同期を継続させることが可能となる。
【００３０】
図５は、撮像装置１００の概略構成（機能ブロック）を示すブロック図である。撮像装置１００は、撮像部１０１、パケット生成部１０２、通信部１０３、参照装置決定部１０４、情報生成部１０５、制御部１０６、記憶部１０７、表示部１０８、操作部１０９、カウント時間決定部１１０及び時間カウント部１１１を備える。
【００３１】
撮像部１０１は、レンズ等により構成される撮像光学系、撮像光学系を制御するレンズ制御部、撮像光学系を通過した入射光が結像して形成される光学像から映像信号（撮像信号）を生成する撮像センサを含む。撮像部１０１は、撮像センサによる撮像を行うことによって生成した映像信号をパケット生成部１０２へ出力する。撮像部１０１は、撮像センサが出力した映像信号に対して所定の画像処理を行う画像処理部を備えていてもよい。パケット生成部１０２は、撮像部１０１から取得した映像信号をＲＴＰで伝送するために、図２に示したデータパケットに変換（ＲＴＰパケット化）し、ＲＴＰパケット化された映像信号を通信部１０３へ出力する。
【００３２】
通信部１０３は、ＬＡＮケーブル３００とＩＰネットワーク４００を介して表示装置２００との間で信号を送受信する通信インターフェースである。通信部１０３は、パケット生成部１０２から取得したＲＴＰパケット化された映像信号を表示装置２００へ出力する。このとき通信部１０３は、送信したＲＴＰパケット化された映像信号を特定するための情報と、その映像信号の送信時刻とを関連付けた送信時刻情報を、記憶部１０７に記憶する。なお、送信したＲＴＰパケット化された映像信号を特定するための情報とは、ＲＦＣ４１７５に記載のＲＴＰ  Ｈｅａｄｅｒのｔｉｍｅｓｔａｍｐ（Ｐａｃｋｅｔ  Ｒｅｃｅｉｖｅｄ  ＲＴＰ  ｔｉｍｅｓｔａｍｐ）である。通信部１０３は、ＩＰネットワーク４００を介して表示装置２００からレポート情報５００を取得し、取得したレポート情報５００を参照装置決定部１０４と情報生成部１０５へ出力する。また、通信部１０３は、情報生成部１０５から取得したセッティング情報６００を表示装置２００へ出力する。
【００３３】
参照装置決定部１０４は、同一のネットワークグループに含まれる表示装置２００から受信したレポート情報５００に基づいて、複数の表示装置２００のうちの１つを参照装置に決定する。具体的には、参照装置決定部１０４は、先ず、受信したレポート情報５００の対象信号情報５０３が示す映像信号に対応する送信時刻を記憶部１０７から取得する。続いて参照装置決定部１０４は、取得した送信時刻と受信したレポート情報５００の処理時刻情報５０４が示す処理時刻（表示時刻）との差分を算出する。つまり、参照装置決定部１０４は、映像信号が撮像装置１００から送信されてからレポート情報５００を送信した表示装置２００で表示されるまでの時間である表示遅延量を算出する。参照装置決定部１０４は、複数の表示装置２００のうち、表示遅延量の最も大きい表示装置をネットワークグループの参照装置として決定し、決定した参照装置を情報生成部１０５へ通知する。
【００３４】
情報生成部１０５は、参照装置決定部１０４にて決定された参照装置から受信したレポート情報５００に基づいて、表示装置２００へ送信するためのセッティング情報６００を生成し、通信部１０３へ出力する。その際、情報生成部１０５は、参照装置から受信したレポート情報５００をセッティング情報６００とする。セッティング情報６００は、表示装置２００へ出力される。なお、情報生成部１０５は、レポート情報５００を受信する度に、受信したレポート情報の同期グループＩＤがＥｍｐｔｙか否かを検査し、検査結果に応じた同期グループＩＤを付加したセッティング情報６００を生成する。なお、レポート情報の同期グループＩＤがＥｍｐｔｙであることは、そのレポート情報の送信元である表示装置の同期グループＩＤが決まっていない状態となっていることを指す。セッティング情報６００に付加される同期グループＩＤの決定手順については後述する。
【００３５】
制御部１０６は、記憶部１０７からプログラムやパラメータを読み出して実行し、不図示のバスを介して各機能ブロックの動作を制御するプロセッサ（ＣＰＵ；Ｃｅｎｔｒａｌ  Ｐｒｏｃｅｓｓｉｎｇ  Ｕｎｉｔ）であり、撮像装置１００の全体的な制御を行う。なお、撮像装置１００の各機能ブロックの一部又はすべての動作が、制御部１０６が所定のプログラムを実行することによって実現される構成であってもよい。
【００３６】
記憶部１０７は、撮像装置１００の動作のためのプログラムやパラメータ、データを記憶する記憶媒体であり、例えば、不揮発性の記憶媒体である。なお、記憶部１０７は、揮発性の記憶媒体と不揮発性の記憶媒体を複合して用いるものであってもよい。表示部１０８は、ユーザへの通知等を表示する。操作部１０９は、ユーザが撮像装置１００の各機能ブロックに対する指示を入力するための操作手段である。
【００３７】
カウント時間決定部１１０は、同期グループＩＤがＥｍｐｔｙのレポート情報を通信部１０３が受信してから所定の時間が経過したかを制御部１０６が判断するための基準となるカウント時間Ｔｃの長さを決定する。カウント時間Ｔｃの長さは、参照装置決定部１０４が算出した表示遅延量の大きさ、つまり、映像信号が撮像装置１００から送信されてからレポート情報５００を送信した表示装置２００で表示されるまでの時間、に応じて決定される。時間カウント部１１１は、同期グループＩＤがＥｍｐｔｙのレポート情報を通信部１０３が受信してからどの程度の時間が経過したかを計測（カウント）し、その結果を情報生成部１０５へ通知する。
【００３８】
図６は、表示装置２００の概略構成（機能ブロック）を示すブロック図である。表示装置２００は、通信部２０１、ジッタ吸収部２０２、復号部２０３、遅延処理部２０４、信号処理部２０５、表示部２０６、処理時間取得部２０７、受信時刻取得部２０８及び表示時刻取得部２０９を備える。表示装置２００はまた、レポート生成部２１０、セッティング取得部２１１、参照装置判定部２１２、遅延量算出部２１３、操作部２１４、制御部２１５及び記憶部２１６を備える。
【００３９】
通信部２０１は、ＬＡＮケーブル３００及びＩＰネットワーク４００を介して信号を送受信するための通信インターフェースである。通信部２０１は、受信したＲＴＰパケット化された映像信号をジッタ吸収部２０２へ出力する。その際、通信部２０１は、ＲＴＰパケット化された映像信号を受信した受信時刻と、対応するＲＴＰパケット化された映像信号を特定する情報とを受信時刻取得部２０８へ出力する。また、通信部２０１は、レポート生成部２１０から取得したレポート情報５００を撮像装置１００へ出力する。通信部２０１は更に、撮像装置１００からセッティング情報６００を取得し、取得したセッティング情報６００をセッティング取得部２１１へ出力する。
【００４０】
ジッタ吸収部２０２は、ＬＡＮケーブル３００とＩＰネットワーク４００の通信ジッタにより生じるＲＴＰパケットの受信時のジッタを伝搬させないようにするためのジッタ吸収バッファである。復号部２０３は、ＲＴＰパケット化されたデータを映像信号へ復号する。遅延処理部２０４は、メモリを備え、復号部２０３から取得した映像信号を一時的にメモリに蓄えて映像信号に遅延量を付与することで、映像信号を受信してから表示部２０６に表示されるまでの時間に遅延を生じさせる。これにより、他の表示装置での画像表示との同期を図ることができる。なお、遅延処理部２０４に付与される遅延量は、遅延量算出部２１３にて算出された遅延量となる。
【００４１】
信号処理部２０５は、遅延処理部２０４により遅延量が付与された映像信号に対して補正等の信号処理を行う。信号処理部２０５は、信号処理を施した映像信号を表示部２０６へ出力する。表示部２０６は、例えば、有機ＥＬディスプレイモジュールであり、取得した映像信号に基づいて画像を表示する。なお、表示部２０６は、不図示の映像出力端子を介して接続された表示装置であってもよい。表示部２０６は、ＲＴＰパケット化された映像信号に基づいて画像を表示した（表示処理を実行した）表示時刻と、対応するＲＴＰパケット化された映像信号を特定する情報とを表示時刻取得部２０９へ出力する。
【００４２】
処理時間取得部２０７は、ジッタ吸収部２０２、復号部２０３及び信号処理部２０５でのそれぞれの処理時間を取得し、取得した各処理時間を遅延量算出部２１３へ通知する。受信時刻取得部２０８は、ＲＴＰパケット化された映像信号を受信した受信時刻と、対応するＲＴＰパケット化された映像信号を特定する情報とを取得して、信号線（不図示）を介して記憶部２１６に記憶する。表示時刻取得部２０９は、ＲＴＰパケット化された映像信号に基づいて画像を表示した表示時刻（表示処理を実行した時刻）と、対応するＲＴＰパケット化された映像信号を特定する情報と、を取得して記憶部２１６に記憶する。
【００４３】
レポート生成部２１０は、信号線（不図示）を介して、ＲＴＰパケット化された映像信号を示す情報（ＲＴＰ  ｔｉｍｅｓｔａｍｐ）とこれに対応する受信時刻及び表示時刻、予め設定されたネットワークグループの同期グループＩＤを記憶部２１６から読み出す。レポート生成部２１０は、記憶部２１６から読み出したこれらの情報に基づいてレポート情報５００を生成し、生成したレポート情報５００を通信部２０１へ出力する。通信部２０１はレポート生成部２１０から受信したレポート情報５００を撮像装置１００へ出力する。レポート生成部２１０は、出力したレポート情報５００を記憶部２１６に記憶する。
【００４４】
セッティング取得部２１１は、撮像装置１００から送信されてきたセッティング情報６００を取得し、取得したセッティング情報を参照装置判定部２１２と遅延量算出部２１３へ出力する。参照装置判定部２１２は、取得したセッティング情報６００と、記憶部２１６に記憶された送信済みのレポート情報５００とを比較する。参照装置判定部２１２は、受信したセッティング情報６００に一致する送信済みのレポート情報５００が存在する場合、自装置がネットワークグループにおける参照装置であると判定し、判定結果を記憶部２１６に記憶すると共に遅延量算出部２１３へ通知する。
【００４５】
遅延量算出部２１３は、遅延処理部２０４において映像信号に付与する遅延量を決定する。遅延量算出部２１３は、自装置がネットワークグループにおける参照装置であると参照装置判定部２１２が判定した場合に、遅延量をゼロ（０）とするように遅延処理部２０４で付与する遅延量を決定する。遅延量算出部２１３は、参照装置判定部２１２が自装置はネットワークグループにおける参照装置でないと判定した場合には、セッティング情報６００に基づいて遅延量を決定する。具体的には、遅延量算出部２１３は、表示処理の対象とするＲＴＰパケット化された映像信号をセッティング情報６００の対象信号情報６０３に基づいて特定し、対応する処理時刻情報６０４に基づいて参照装置における表示時刻Ｔａを取得する。また、遅延量算出部２１３は、特定されたＲＴＰパケット化された映像信号に基づいて、表示部２０６で画像が表示された表示時刻Ｔｂを記憶部２１６から取得する。遅延量算出部２１３は、表示時刻Ｔａと表示時刻Ｔｂとの差を遅延量として決定する。
【００４６】
操作部２１４は、ユーザが表示装置２００の各機能ブロックに対する指示を入力するための操作手段である。制御部２１５は、記憶部２１６からプログラムやパラメータを読み出して実行し、不図示のバスを介して各機能ブロックの動作を制御するプロセッサ（ＣＰＵ；Ｃｅｎｔｒａｌ  Ｐｒｏｃｅｓｓｉｎｇ  Ｕｎｉｔ）であり、表示装置２００の全体的な制御を行う。なお、表示装置２００の各機能ブロックの一部又はすべての動作が、制御部２１５が所定のプログラムを実行することによって実現される構成であってもよい。記憶部２１６は、表示装置２００の動作のためのプログラムやパラメータ、データを記憶する記憶媒体であり、例えば、不揮発性の記憶媒体である。なお、記憶部２１６は、揮発性の記憶媒体と不揮発性の記憶媒体を複合して用いるものであってもよい。
【００４７】
上記の通りに構成された図１の映像表示システムでは、撮像装置１００から出力された映像信号をネットワークグループごとに同期させて表示装置２００に表示させることが可能である。また、レポート情報５００の送受信、セッティング情報６００の送受信及び遅延量制御が所定の周期で実行されることにより、表示装置２００における処理時間が変動しても、表示の同期を維持することができる。そして、映像表示システムでは、参照装置として決定された表示装置がネットワークグループを離脱した等の何らかの理由で参照装置の処理時刻が変動した場合に、ネットワークグループの他の表示装置の遅延量がその変動に対応するように調整される。
【００４８】
次に、第１実施形態に係る映像表示システムでの同期グループＩＤの決定方法について説明する。図７は、表示装置２００において実行される、レポート情報５００に付加される同期グループＩＤの決定手順のフローチャートである。図７のフローチャートにＳ番号で示す各処理（ステップ）は、制御部２１５が記憶部２１６に記憶されたプログラムを読み出して実行することにより、制御部２１５の制御下で表示装置２００の各機能ブロックが所定の動作を行うことで実現される。
【００４９】
Ｓ７０１にて制御部２１５は、操作部２１４を介したユーザによる同期グループＩＤの設定を受け付けたか否かを判定する。ここで、同期グループＩＤの設定を受け付ける前に、ユーザに対して同期グループＩＤの設定を促すメッセージ等が表示部２０６に表示されるようになっていてもよい。同期グループＩＤの設定をユーザへ促すタイミングの例としては、以下の第１乃至第３のタイミングが挙げられる。第１のタイミングは、電源供給部（図６に不図示）から表示装置２００に電源が供給されたタイミングである。第２のタイミングは、表示装置２００が撮像装置１００と接続されたタイミングである。第３のタイミングは、ユーザ操作により映像信号の表示処理が開始されたタイミングであるが、これらのタイミングに限定されるものではない。
【００５０】
制御部２１５は、同期グループＩＤの設定を受け付けたと判定した場合（Ｓ７０１でＹＥＳ）、処理をＳ７０２へ進め、同期グループＩＤの設定を受け付けていないと判定した場合（Ｓ７０１でＮＯ）、処理をＳ７０３へ進める。Ｓ７０２にて制御部２１５は、ユーザにより設定された同期グループＩＤを記憶部２１６に記憶し、その後は処理をＳ７０４へ進める。Ｓ７０３にて制御部２１５は、Ｅｍｐｔｙとなる同期グループＩＤを記憶部２１６に記憶し、その後は処理をＳ７０４へ進める。
【００５１】
Ｓ７０４では表示部２０６が、撮像装置１００から取得した映像信号を復号した映像を表示し、ＲＴＰパケット化された映像信号に基づいて画像を表示した（表示処理を実行した）表示時刻と、その映像信号を特定する情報とを表示時刻取得部２０９へ出力する。Ｓ７０５では通信部２０１が、Ｓ７０４で表示部２０６に表示した映像信号に対応するレポート情報５００を撮像装置１００へ送信する。Ｓ７０５で撮像装置１００へ送信されるレポート情報５００の同期グループＩＤは、レポート生成部２１０によって記憶部２１６から読み出された値であり、Ｓ７０２で設定されたユーザにより指定された値又はＳ７０３で設定されたＥｍｐｔｙである。
【００５２】
Ｓ７０６ではセッティング取得部２１１が、撮像装置１００から送信されてきたセッティング情報６００を通信部２０１を介して取得する。セッティング取得部２１１は、取得したセッティング情報を参照装置判定部２１２、遅延量算出部２１３及び制御部２１５へ出力する。Ｓ７０７にて制御部２１５は、セッティング取得部２１１から取得したセッティング情報の同期グループＩＤを記憶部２１６に記憶させる。Ｓ７０８では通信部２０１が、表示された映像信号に対応するレポート情報５００を撮像装置１００へ送信し、これにより本処理は終了となる。Ｓ７０８で撮像装置１００へ送信されるレポート情報５００の同期グループＩＤは、レポート生成部２１０によって記憶部２１６から読み出された値、つまり、Ｓ７０６で受信したセッティング情報の同期グループＩＤと同じ値の同期グループＩＤである。
【００５３】
図８は、第１実施形態に係る撮像装置１００において実行される、セッティング情報６００に付加される同期グループＩＤの決定手順のフローチャートである。図８のフローチャートにＳ番号で示す各処理（ステップ）は、制御部１０６が記憶部１０７に記憶されたプログラムを読み出して実行することにより、制御部１０６の制御下で撮像装置１００の各機能ブロックが所定の動作を行うことで実現される。
【００５４】
Ｓ８０１にて制御部１０６は、撮像装置１００と表示装置２００ａ，２００ｂとの間の接続を確立させる。そして、Ｓ８０１では通信部１０３が、パケット生成部１０２から取得したＲＴＰパケット化された映像信号を表示装置２００ａ，２００ｂへ送信する。この時点において、表示装置２００ａ，２００ｂの同期グループＩＤはＥｍｐｔｙに設定されているものとする。
【００５５】
Ｓ８０２では通信部１０３が、表示装置２００ａから送信されてきたレポート情報５００を受信し、受信したレポート情報５００を記憶部１０７に一時的に記憶する。Ｓ８０３にて制御部１０６は、Ｓ８０２で受信したレポート情報５００の同期グループＩＤがＥｍｐｔｙであるか否かを判定する。制御部１０６は、同期グループＩＤがＥｍｐｔｙであると判定した場合（Ｓ８０３でＹＥＳ）、処理をＳ８０４へ進め、同期グループＩＤがＥｍｐｔｙではないと判定した場合（Ｓ８０３でＮＯ）、処理をＳ８０５へ進める。
【００５６】
Ｓ８０４では情報生成部１０５が、記憶部１０７に記憶されたレポート情報５００の同期グループＩＤに存在しない同期グループＩＤを付与したセッティング情報６００を生成する。そして、通信部１０３が、生成されたセッティング情報６００を表示装置２００ａへ送信する。その後、制御部１０６が、処理をＳ８０６へ進める。
【００５７】
Ｓ８０５では情報生成部１０５が、受信したレポート情報５００の同期グループＩＤと同じ同期グループＩＤを付与したセッティング情報６００を生成する。そして、通信部１０３が生成されたセッティング情報６００を表示装置２００ａへ送信し、送信したセッティング情報６００を記憶部１０７に記憶し、これにより本処理は終了する。ここでは、一例として、同期グループＩＤに値αが付与されたセッティング情報６００が生成されて表示装置２００ａへ送信されたものとする。
【００５８】
Ｓ８０６ではカウント時間決定部１１０が、映像信号が撮像装置１００から送信されてからレポート情報５００を送信した表示装置２００ａでその映像信号の映像が表示されるまでの時間に応じて、カウント時間Ｔｃの長さを決定する。Ｓ８０７では時間カウント部１１１が、時間のカウントを開始する。時間のカウントは、ゼロ（０）からカウント時間Ｔｃまで行われる。
【００５９】
Ｓ８０８では通信部１０３が、表示装置２００ｂから送信されてきたレポート情報５００を受信し、受信したレポート情報５００を記憶部１０７に一時的に記憶する。Ｓ８０９にて制御部１０６は、Ｓ８０８で受信したレポート情報５００の同期グループＩＤとしてＥｍｐｔｙが記載されているか否かを判定する。制御部１０６は、同期グループＩＤがＥｍｐｔｙであると判定した場合（Ｓ８０９でＹＥＳ）、処理をＳ８１０へ進め、同期グループＩＤがＥｍｐｔｙではないと判定した場合（Ｓ８０９でＮＯ）、処理をＳ８１１へ進める。
【００６０】
Ｓ８１０にて制御部１０６は、時間カウント部１１１の値を参照し、その値がカウント時間Ｔｃ内か否かを判定する。制御部１０６は、カウント時間Ｔｃ内であると判定した場合（Ｓ８１０でＹＥＳ）、処理をＳ８１２へ進め、カウント時間Ｔｃ外であると判定した場合（Ｓ８１０でＮＯ）、Ｓ８０４へ戻される。
【００６１】
Ｓ８１１では情報生成部１０５が、受信したレポート情報５００の同期グループＩＤと同じ同期グループＩＤを付与したセッティング情報６００を生成する。そして、生成されたセッティング情報６００を通信部１０３が表示装置２００ｂへ送信し、これにより本処理は終了となる。Ｓ８１２では情報生成部１０５が、Ｓ８０４で付与した同期グループＩＤと同じ同期グループＩＤに値αを付与したセッティング情報６００を生成する。そして、生成されたセッティング情報６００を通信部１０３が表示装置２００ｂへ送信した後、処理はＳ８０８へ戻される。
【００６２】
具体例を説明すると、Ｓ８０８でのレポート情報５００の受信がＳ８１０でカウント時間内であると判定されたものとする。この場合、Ｓ８０４で付与された同期グループＩＤの値αと同じ値が同期グループＩＤに付与されたセッティング情報６００が生成され、表示装置２００ｂへ送信される。また、撮像装置１００と表示装置２００ｃ，２００ｄとの間の接続がＩＰネットワーク４００を介して確立した後、Ｓ８０８にて表示装置２００ｃから受信したレポート情報が、Ｓ８１０にてカウント時間Ｔｃ内ではないと判定されたものとする。その場合、Ｓ８０４にて表示装置２００ｃに送信されるセッティング情報６００の同期グループＩＤには、新たな値β（≠α）が同期グループＩＤへ付与される。そして、Ｓ８０６ではカウント時間決定部１１０が、映像信号が撮像装置１００から送信されてからレポート情報５００を送信した表示装置２００ｃでその映像信号の映像が表示されるまでの時間に応じて、カウント時間Ｔｃ´の長さを決定する。
【００６３】
続いて、Ｓ８０８で表示装置２００ｄからレポート情報を受信したタイミングが、Ｓ８１０でカウント時間Ｔｃ´内であると判定されたとする。その場合、Ｓ８１２にて情報生成部１０５は、Ｓ８０４で付与した同期グループＩＤの値βと同じ値を同期グループＩＤに付与したセッティング情報を生成し、生成されたセッティング情報が表示装置２００ｄへ送信され、その後、処理がＳ８０８へ戻される。
【００６４】
なお、上記フローチャートに従う処理では、カウント時間決定部１１０がカウント時間Ｔｃの長さを、映像信号が撮像装置１００から送信されてからレポート情報５００を送信した表示装置２００で表示されるまでの時間に応じて決定する構成とした。しかし、これに限られず、カウント時間の長さＴｃを、映像信号が撮像装置１００から送信されてからレポート情報５００を送信した表示装置２００に到達するまでの時間に応じて決定するようにしてもよい。
【００６５】
このように第１実施形態では、撮像装置は、所定のカウント時間内にレポート情報を受信した表示装置であり、且つ、同期グループＩＤがＥｍｐｔｙに設定されている表示装置に対して、同じ同期グループＩＤを付与したセッティング情報を送信する。これにより、例えば、ユーザが複数の表示装置を同時にネットワークに接続した場合に、自動的にそれらの表示装置を同じネットワークグループに加入させることができる。つまり、表示同期を行うグループの形成を簡単に行うことができ、表示同期を行うグループを形成するための手間を減らすことができる。
【００６６】
また、第１実施形態では、映像信号が撮像装置から送信されてから表示装置に到達するまでの時間又は表示装置で表示されるまでの時間に応じて、カウント時間の長さを決定する。これにより、到達時間にばらつきが多くなりやすい複雑なネットワークシステムであっても、簡単に表示同期を行うことが可能なグループを形成することができる。
【００６７】
＜第２実施形態＞
第１実施形態では、レポート情報の同期グループＩＤにＥｍｐｔｙが記載されているか否かが判定される。そして、同期グループＩＤにＥｍｐｔｙが記載されていると判定された時点から所定の時間内に同期グループＩＤがＥｍｐｔｙのレポート情報を送信してきた表示装置へは、同じ同期グループＩＤを付与したセッティング情報が生成され、送信される。これにより、例えば、ユーザが複数の表示装置を同時にネットワークに接続した際に、それらを自動で同じネットワークグループに入れることができる。
【００６８】
しかし、例えば、多くの表示装置をネットワークに接続しようとした場合、所定時間（カウント時間Ｔｃ）が経過してしまうことで、一部の表示装置がユーザの意図に反して別のネットワークグループに割り振られてしまう可能性がある。そこで、第２実施形態での撮像装置は、カウント時間内に同期グループＩＤがＥｍｐｔｙのレポート情報を受信した場合には、実質的にカウント時間を延長する処理を行う。
【００６９】
第２実施形態は、図８のフローチャートのＳ８１２の処理後にＳ９０１（図９）の処理を行う点で第１実施形態と異なるが、その他は第１実施形態と同じであり、よって、以下では第１実施形態との相違点のみを説明する。
【００７０】
図９は、第２実施形態での撮像装置１００において実行される、セッティング情報６００に付加される同期グループＩＤの決定手順のフローチャートである。図９のフローチャートにＳ番号で示す各処理（ステップ）は、制御部１０６が記憶部１０７に記憶されたプログラムを読み出して実行することにより、制御部１０６の制御下で撮像装置１００の各機能ブロックが所定の動作を行うことで実現される。
【００７１】
図９のフローチャートにＳ番号で示す各処理（ステップ）のうち図８のフローチャートにＳ番号で示す各処理（ステップ）と同じ処理については、図８のフローチャートと同じＳ番号を付している。前述したように、第２実施形態は図８のフローチャートのＳ８１２の処理後にＳ９０１の処理を行う点で第１実施形態と異なる。つまり、図９のフローチャートに示されるＳ８０１〜Ｓ８１２の処理は、図８のフローチャートに示されるＳ８０１〜Ｓ８１２の処理と同じであるため、説明を省略する。
【００７２】
Ｓ８１２の処理後のＳ９０１では時間カウント部１１１が、カウントしている時間のリセット処理を行い、その後、処理はＳ８０７へ戻される。これにより、Ｓ８０６でカウント時間決定部１１０が決定したカウント時間Ｔｃでの時間カウントがやり直される。
【００７３】
このように、第２実施形態での撮像装置は、同期グループＩＤがＥｍｐｔｙのレポート情報をカウント時間内に送信してきた表示装置に対して同じ同期グループＩＤを付与したセッティング情報を送信した場合、時間カウントをやり直す。これにより、例えば、表示装置の数が多いためにネットワークグループへの加入に時間を要する場合であっても、すべての表示装置を同じネットワークグループへ加入させることができる。
【００７４】
＜第３実施形態＞
第１実施形態の構成では、同じ同期グループＩＤが付与されたセッティング情報を受信した表示装置のそれぞれがレポート情報を生成して撮像装置へ送信する。撮像装置は、レポート情報を受信した後に参照装置を決定し、その後、セッティング情報の時刻情報を参照装置と同期して表示するための情報に更新する。その結果、同期表示までに時間を要する可能性がある。そこで、第３実施形態での撮像装置は、同期グループＩＤがＥｍｐｔｙのレポート情報をカウント時間内に送信してきた表示装置へ送信するセッティング情報に、同じネットワークグループの中で最大遅延量となる時刻情報を書き込む。
【００７５】
第３実施形態は、図８のフローチャートのＳ８１０の判定がＹＥＳとなった後の処理としてＳ１００１〜Ｓ１００３（図１０）の処理を行う点で第１実施形態と異なるが、その他の構成は第１実施形態と同じである。よって、以下では第１実施形態との相違点のみを説明する。
【００７６】
図１０は、第３実施形態での撮像装置１００において実行される、セッティング情報６００に付加される同期グループＩＤの決定手順のフローチャートである。図１０のフローチャートにＳ番号で示す各処理（ステップ）は、制御部１０６が記憶部１０７に記憶されたプログラムを読み出して実行することにより、制御部１０６の制御下で撮像装置１００の各機能ブロックが所定の動作を行うことで実現される。
【００７７】
図１０のフローチャートにＳ番号で示す各処理（ステップ）のうち図８のフローチャートにＳ番号で示す各処理（ステップ）と同じ処理については、図８のフローチャートと同じＳ番号を付している。前述したように、第３実施形態は図８のフローチャートのＳ８１０の処理後にＳ１００１〜Ｓ１００３の処理を行う点で第１実施形態と異なる。つまり、図１０のフローチャートに示されるＳ８０１〜Ｓ８１１の処理は、図８のフローチャートに示されるＳ８０１〜Ｓ８１１の処理と同じであるため、説明を省略する。
【００７８】
制御部１０６は、受信したレポート情報の同期グループＩＤがＥｍｐｔｙであると判定した場合（Ｓ８１０でＹＥＳ）、処理をＳ１００１へ進める。Ｓ１００１では参照装置決定部１０４が表示装置での遅延量を算出する。つまり、参照装置決定部１０４は、撮像装置１００から映像信号を送信してから、レポート情報５００を送信してきた表示装置２００でその映像信号に係る映像が表示されるまでの時間を算出する。そして、制御部１０６は、算出された遅延量に基づき、Ｓ８０４で同じ同期グループＩＤを付与してセッティング情報を送信してきた表示装置２００の中で遅延量が最大か否かを判定する。
【００７９】
制御部１０６は、遅延量が最大であると判定した場合（Ｓ１００１でＹＥＳ）、処理をＳ１００２へ進め、遅延量が最大ではないと判定した場合（Ｓ１００１でＮＯ）、処理をＳ１００３へ進める。
【００８０】
Ｓ１００２では情報生成部１０５が、Ｓ８０６で受信したレポート情報５００の時刻情報を含み、且つ、Ｓ８０４で付与した同期グループＩＤと同じ同期グループＩＤを付与したセッティング情報６００を生成する。そして、生成されたセッティング情報６００は、通信部１０３により表示装置２００へ送信される。制御部１０６は、Ｓ１００２処理の終了後にＳ８０８へ処理を戻す。
【００８１】
Ｓ１００３では、情報生成部１０５が、参照装置決定部１０４で遅延量が最大であると判断された表示装置から受信したレポート情報５００の時刻情報に基づいてセッティング情報６００を生成する。その際、情報生成部１０５は、生成するセッティング情報６００にＳ８０４で付与した同期グループＩＤと同じ同期グループＩＤを付与する。生成されたセッティング情報６００を通信部１０３が表示装置２００に送信し、こうしてＳ１００３の処理が終了すると、Ｓ８０８へ処理は戻される。
【００８２】
このように第３実施形態では、同期グループＩＤがＥｍｐｔｙのレポート情報をカウント時間内に送信してきた表示装置へ送信するセッティング情報における時刻情報を、同じネットワークグループの中で最大遅延量となる時刻情報に変更する。こうして時刻情報が変更されたセッティング情報が表示装置へ送信されることにより、同じネットワークグループとなる複数の表示装置が同期して表示し始めるまでに要する時間を短縮することが可能になる。
【００８３】
＜第４実施形態＞
既に幾つかのネットワークグループが形成されている映像表示システムに新たに表示装置を加入させる場合、ネットワークグループに自動加入させずに、表示装置を加入させるネットワークグループのユーザによる選択を可能にして欲しいという要求もある。そこで、第４実施形態では、同期グループＩＤがＥｍｐｔｙのレポート情報を撮像装置が受信した場合、撮像装置が記憶している同期グループＩＤの情報を表示装置に伝え、表示装置にネットワークグループの情報を表示させてユーザによる選択を可能とする。
【００８４】
図１１は、第４実施形態での表示装置１１００の概略構成（機能ブロック）を示すブロック図である。第４実施形態に係る映像表示システムは、図５を参照して説明した撮像装置１００と表示装置１１００がＬＡＮケーブル３００及びＩＰネットワーク４００を介して通信可能に接続されて構成される。表示装置１１００の機能ブロックのうち、図６の表示装置２００の機能ブロックと同等の機能ブロックについては、同じ符号を付して、重複する説明を省略する。
【００８５】
表示装置１１００は、表示装置２００が備えていないグループ一覧表示生成部１１０１を備える。グループ一覧表示生成部１１０１は、記憶部２１６に記憶されたすべての同期グループＩＤに関するセッティング情報６００を用いて、表示同期グループ一覧表示画面を生成し、表示部２０６に表示する。表示同期グループ一覧表示画面の詳細については後述する。
【００８６】
図１２は、第４実施形態での撮像装置１００において実行される、セッティング情報６００に付加される同期グループＩＤの決定手順のフローチャートである。図１２のフローチャートにＳ番号で示す各処理（ステップ）は、制御部１０６が記憶部１０７に記憶されたプログラムを読み出して実行することにより、制御部１０６の制御下で撮像装置１００の各機能ブロックが所定の動作を行うことで実現される。なお、図１２のフローチャートにＳ番号で示す各処理（ステップ）のうち図８のフローチャートにＳ番号で示す各処理（ステップ）と同じ処理については、図８のフローチャートと同じＳ番号を付している。
【００８７】
Ｓ８０１〜Ｓ８０３，Ｓ８０５の処理は、図８のフローチャートのＳ８０１〜Ｓ８０３，Ｓ８０５の処理と同じであるため、説明を省略する。なお、Ｓ８０２にて撮像装置１００はレポート情報５００を受信する。レポート情報５００は表示装置１１００から周期的に撮像装置１００に送信される。但し、制御部１０６は、所定の期間、受信することがなかったレポート情報の送信元となっている表示装置１１００については、ＩＰネットワーク４００から離脱したものとして、記憶部１０７から削除する。
【００８８】
制御部１０６は、同期グループＩＤがＥｍｐｔｙであると判定した場合（Ｓ８０３でＹＥＳ）、処理をＳ１２０１へ進める。Ｓ１２０１にて制御部１０６は、記憶部１０７に記憶済みの同期グループＩＤが存在するか否かを判定する。制御部１０６は、記憶済みの同期グループＩＤが存在すると判定場合（Ｓ１２０１でＹＥＳ）、処理をＳ１２０２へ進め、記憶済みの同期グループＩＤが存在しないと判定した場合（Ｓ１２０１でＮＯ）、処理をＳ１２０３へ進める。
【００８９】
Ｓ１２０２では情報生成部１０５が、記憶部１０７に記憶されたレポート情報５００に基づいて、記憶済みの同期グループＩＤのすべてのセッティング情報６００を生成し、作成されたセッティング情報６００を通信部１０３がすべての表示装置１１００へ出力する。なお、Ｓ１２０２でのセッティング情報６００の送信は、通常送信している周期（第１の周期）よりも早い周期（第２の周期）で連続的に行われる。Ｓ１２０２の処理が終了すると、処理はＳ８０２へ戻される。
【００９０】
Ｓ１２０３では情報生成部１０５が、記憶部１０７に記憶されたレポート情報５００の同期グループＩＤに存在しない同期グループＩＤを付与したセッティング情報６００を生成し、生成されたセッティング情報６００を通信部１０３が表示装置１１００へ送信する。Ｓ１２０３の処理が終了すると、処理はＳ８０２へ戻される。
【００９１】
次に、表示装置１１００において実行される、レポート情報５００に付加される同期グループＩＤの決定手順について説明する。図１３は、第４実施形態での表示装置１１００において実行される、レポート情報５００に付加される同期グループＩＤの決定手順のフローチャートである。図１３のフローチャートにＳ番号で示す各処理（ステップ）は、制御部２１５が記憶部２１６に記憶されたプログラムを読み出して実行することにより、制御部２１５の制御下で表示装置１１００の各機能ブロックが所定の動作を行うことで実現される。なお、図１３のフローチャートにＳ番号で示す各処理（ステップ）のうち図７のフローチャートにＳ番号で示す各処理（ステップ）と同じ処理については、図７のフローチャートと同じＳ番号を付している。
【００９２】
Ｓ７０１〜Ｓ７０５の処理は、図７のフローチャートのＳ７０１〜Ｓ７０５の処理と同じであるため、説明を省略する。制御部２１５は、Ｓ７０５の処理が終了すると、処理をＳ１３０１へ進める。Ｓ１３０１にて制御部２１５は、Ｓ７０５で撮像装置１００へ送信したレポート情報５００の同期グループＩＤがＥｍｐｔｙか否かを判定する。制御部２１５は、同期グループＩＤがＥｍｐｔｙであると判定した場合（Ｓ１３０１でＹＥＳ）、処理をＳ１３０２へ進める。Ｓ１３０２ではセッティング取得部２１１が、撮像装置１００から送信されてきたセッティング情報６００を取得し、取得したセッティング情報６００を記憶部２１６に記憶する。
【００９３】
Ｓ１３０３にて制御部２１５は、所定時間が経過したか否かを判定する。制御部２１５は、所定時間が経過していないと判定した場合（Ｓ１３０３でＮＯ）、処理をＳ１３０２へ戻す。つまり、所定時間が経過するまでの間、撮像装置１００から送信されてくるセッティング情報６００の受信と記憶部２１６への記憶が続けられる。制御部２１５は、所定時間が経過したと判定した場合（Ｓ１３０３でＹＥＳ）、処理をＳ１３０４へ進める。Ｓ１３０４ではグループ一覧表示生成部１１０１が、記憶部２１６に記憶済みのすべての同期グループＩＤに関するセッティング情報６００を用いて、表示同期グループ一覧表示画面１４００を生成する。そして、グループ一覧表示生成部１１０１は、生成した表示同期グループ一覧表示画面１４００を表示部２０６に表示する。
【００９４】
図１４は、表示同期グループ一覧表示画面１４００の例を示す図である。表示同期グループ一覧表示画面１４００には、ネットワークグループごとに、同期グループＩＤ、遅延量（参照装置と処理を同期するために処理時刻を遅延するための調整量）及び表示装置の台数が表示されている。また、表示同期グループ一覧表示画面１４００には、表示装置１１００を参加させたいネットワークグループ又は新規のネットワークグループの生成を選択可能とするカーソル１４０１が表示されている。ユーザは、操作部２１４を操作してカーソル１４０１を移動させることにより、表示装置１１００の加入先を選択することができる。
【００９５】
Ｓ１３０５にて制御部２１５は、表示同期グループ一覧表示画面１４００を通じて既存ネットワークグループ（同期グループＩＤ）が選択されたか否かを判定する。制御部２１５は、既存の同期グループＩＤが選択されたと判定した場合（Ｓ１３０５でＹＥＳ）、処理をＳ１３０６へ進める。なお、Ｓ１３０５の処理は、ユーザが操作部２１４を操作することにより任意の同期グループＩＤの値を設定することができる処理であってもよい。
【００９６】
Ｓ１３０６では参照装置判定部２１２が、遅延量算出部２１３で算出された自装置の遅延量が、選択されたネットワークグループの遅延量よりも大きいか否かを判定する。制御部２１５は、自装置の遅延量が選択されたネットワークグループの遅延量よりも大きいと参照装置判定部２１２が判定した場合（Ｓ１３０６でＹＥＳ）、処理をＳ１３０７へ進める。一方、制御部２１５は、自装置の遅延量が選択されたネットワークグループの遅延量以下であると参照装置判定部２１２が判定した場合（Ｓ１３０６でＮＯ）、処理をＳ１３０９へ進める。
【００９７】
Ｓ１３０７にて制御部２１５は、表示部２０６に警告を表示する。具体的には、加入対象の表示装置１１００を選択されたネットワークグループに加入させると、そのネットワークグループの参照装置が変更されるために同期表示が一時的に乱れてしまうことをユーザに通知する警告画面が表示部２０６に表示される。また、警告画面を見た上で加入対象の表示装置１１００を選択されたネットワークグループに参加させるか否かをユーザに問い合わせる画面が表示部２０６に表示される。
【００９８】
Ｓ１３０８にて制御部２１５は、Ｓ１３０５で選択されてＳ１３０７での警告対象となったネットワークグループに自装置を加入させることが選択されたか否かを判定する。制御部２１５は、Ｓ１３０７での警告対象となったネットワークグループへの自装置の加入が取り消されたと判定した場合（Ｓ１３０８でＮＯ）、処理をＳ１３０４へ戻す。制御部２１５は、Ｓ１３０７での警告対象となったネットワークグループへの自装置の加入が選択されたと判定した場合（Ｓ１３０８でＹＥＳ）、処理をＳ１３０９へ進める。Ｓ１３０９ではレポート生成部２１０が、選択されたネットワークグループの同期グループＩＤを付与したレポート情報を生成する。制御部２１５は、Ｓ１３０９の終了後に、処理をＳ１３１３へ進める。
【００９９】
制御部２１５は、Ｓ１３０５で既存の同期グループＩＤが選択されなかった（新規グループ作成が選択された）と判定した場合（Ｓ１３０５でＮＯ）、処理をＳ１３１０へ進める。Ｓ１３１０ではレポート生成部２１０が、ユーザにより設定された同期グループＩＤ又は記憶部２１６に記憶された同期グループＩＤに存在しない同期グループＩＤを付与したレポート情報を生成する。制御部２１５は、Ｓ１３１０の終了後に、処理をＳ１３１３へ進める。
【０１００】
制御部２１５は、Ｓ１３０１で同期グループＩＤがＥｍｐｔｙではないと判定した場合（Ｓ１３０１でＮＯ）、処理をＳ１３１１へ進める。Ｓ１３１１ではセッティング取得部２１１が、通信部２０１を介して撮像装置１００からセッティング情報６００を取得する。セッティング取得部２１１は、取得したセッティング情報６００を参照装置判定部２１２、遅延量算出部２１３及び制御部２１５へ出力する。制御部２１５は、セッティング取得部２１１から取得したセッティング情報６００の同期グループＩＤを記憶部２１６に記憶する。続くＳ１３１２ではレポート生成部２１０が、ＲＴＰパケット化された映像信号を示す情報、これに対応する受信時刻と表示時刻及び同期グループＩＤに基づいて、レポート情報５００を生成する。ここで生成されるレポート情報５００の同期グループＩＤの値には、Ｓ１３１１において記憶部２１６に記憶された同期グループＩＤの値が記憶部２１６から読み出されて用いられる。制御部２１５は、Ｓ１３１２の終了後に、処理をＳ１３１３へ進める。
【０１０１】
Ｓ１３１３では通信部２０１が、Ｓ１３０９，Ｓ１３１０，Ｓ１３１２のいずれかで生成されたレポート情報５００を撮像装置１００へ送信する。これにより、本処理は終了となる。
【０１０２】
このように第４実施形態では、同期グループＩＤがＥｍｐｔｙのレポート情報を撮像装置が受信した際に、撮像装置は、所定時間の間、記憶している同期グループＩＤの情報を表示装置へ送信する。そして、表示装置は、受信したすべての同期グループＩＤの情報をユーザに提示するための表示処理を行い、自装置を加入させるネットワークグループの選択をユーザに要求する。これにより、既に幾つかのネットワークグループが形成されている映像表示システムに新たに表示装置が加入する際のユーザによる選択を補助することができ、ユーザが希望するネットワークグループへの表示装置の加入を簡単に可能とすることができる。
【０１０３】
＜第５実施形態＞
第４実施形態では、既に幾つかのネットワークグループが形成されている映像表示システムへの新たな表示装置の加入にユーザの意思を反映させることが可能となっている。同様の効果を得る手法として、撮像装置が同期グループＩＤの情報を表示装置に送信する周期を変えない構成とすることもできる。つまり、第５実施形態では、同期グループＩＤがＥｍｐｔｙのレポート情報を撮像装置が受信した際に、撮像装置は、記憶している同期グループＩＤが一巡するまで、順次、セッティング情報を表示装置に送信する。そして、第４実施形態と同様に、表示装置は、受信したセッティング情報に基づいてネットワークグループの情報を表示し、表示装置を加入させるネットワークグループのユーザによる選択を可能とする。
【０１０４】
図１５は、第５実施形態での撮像装置１００において実行される、セッティング情報６００に付加される同期グループＩＤの決定手順のフローチャートである。図１５のフローチャートにＳ番号で示す各処理（ステップ）は、制御部１０６が記憶部１０７に記憶されたプログラムを読み出して実行することにより、制御部１０６の制御下で撮像装置１００の各機能ブロックが所定の動作を行うことで実現される。
【０１０５】
図１５のフローチャートにＳ番号で示す各処理（ステップ）のうち、Ｓ８０１〜Ｓ８０３，Ｓ８０５の処理は、図１２のフローチャートで引用する図８のフローチャートのＳ８０１〜Ｓ８０３，Ｓ８０５の処理と同じであるため、説明を省略する。また、Ｓ１２０１，Ｓ１２０３の処理は、図１２のフローチャートのＳ１２０１，Ｓ１２０３の処理と同じであるため、説明を省略する。
【０１０６】
制御部１０６は、記憶済みの同期グループＩＤが存在すると判定した場合（Ｓ１２０１でＹＥＳ）、処理をＳ１５０１へ進める。Ｓ１５０１にて制御部１０６は、同期グループＩＤがＥｍｐｔｙのレポート情報を送信してきた表示装置１１００に対して送信したセッティング情報６００の送信履歴を記憶部１０７から読み出す。Ｓ１５０２にて制御部１０６は、同期グループＩＤがＥｍｐｔｙのレポート情報を送信してきた表示装置１１００に対して未送信の（送信したことのない）同期グループＩＤがあるか否かを判定する。制御部１０６は、未送信の同期グループＩＤがあると判定した場合（Ｓ１５０２でＹＥＳ）、処理をＳ１５０３へ進め、未送信の同期グループＩＤはないと判定した場合（Ｓ１５０２でＮＯ）、処理をＳ１５０４へ進める。
【０１０７】
Ｓ１５０３では情報生成部１０５が、未送信の同期グループＩＤのうちの１つが付与されたセッティング情報６００を生成し、生成されたセッティング情報６００を通信部１０３が表示装置１１００へ送信する。制御部１０６は、Ｓ１５０３の処理が終了すると、処理をＳ１５０６へ進める。
【０１０８】
Ｓ１５０４にて制御部１０６は、記憶部１０７に記憶されたセッティング情報６００の送信履歴のうち、同期グループＩＤがＥｍｐｔｙのレポート情報を送信してきた表示装置１１００に対する送信履歴を削除する。続くＳ１５０５では通信部１０３が、記憶部１０７に記憶された同期グループＩＤのうちの１つのセッティング情報６００を表示装置１１００へ送信する。制御部１０６は、Ｓ１５０５の処理が終了すると、処理をＳ１５０６へ進める。
【０１０９】
Ｓ１５０６にて制御部１０６は、Ｓ１５０３又はＳ１５０５で表示装置１１００へ送信したセッティング情報６００とその送信履歴を記憶部１０７に記憶し、その後、処理をＳ８０２へ戻す。
【０１１０】
次に、表示装置１１００において実行される、レポート情報５００に付加される同期グループＩＤの決定手順について説明する。図１６は、第５実施形態での表示装置１１００において実行される、レポート情報５００に付加される同期グループＩＤの決定手順のフローチャートである。図１６のフローチャートにＳ番号で示す各処理（ステップ）は、制御部２１５が記憶部２１６に記憶されたプログラムを読み出して実行することにより、制御部２１５の制御下で表示装置１１００の各機能ブロックが所定の動作を行うことで実現される。なお、図１６のフローチャートにＳ番号で示す各処理（ステップ）のうち図１３のフローチャートにＳ番号で示す各処理（ステップ）と同じ処理については、図１３のフローチャートと同じＳ番号を付して、説明を省略する。
【０１１１】
Ｓ１３０２で撮像装置１００からセッティング情報６００を受信すると、制御部２１５は処理をＳ１６０１へ進める。Ｓ１６０１にて制御部２１５は、記憶部２１６に記憶されているセッティング情報６００の受信履歴を読み出し、Ｓ１３０２で受信したセッティング情報６００の同期グループＩＤが二度目の受信となる同期グループＩＤか否かを判定する。制御部２１５は、二度目の受信となる同期グループＩＤであると判定した場合（Ｓ１６０１でＹＥＳ）、処理をＳ１３０４へ進める。制御部２１５は、二度目の受信となる同期グループＩＤではないと判定した場合（Ｓ１６０１でＮＯ）、処理をＳ１３０２へ戻す。これにより、受信が二度目となる同期グループＩＤのセッティング情報を受信するまで、同期グループＩＤがＥｍｐｔｙのレポート情報５００の送信とセッティング情報６００の受信が繰り返される。
【０１１２】
このような第５実施形態によれば、同期グループＩＤがＥｍｐｔｙのレポート情報を撮像装置が受信した際に、撮像装置が記憶している同期グループＩＤが一巡するまで、順次、セッティング情報が表示装置に送信される。そして、表示装置にネットワークグループの情報を表示させて、加入させるネットワークグループをユーザに選択させる。こうして、映像表示システムに既に幾つかのネットワークグループが形成されている場合に、ユーザがどのネットワークグループに表示装置を加入させるのかを選択するための操作を補助することができる。その結果、ユーザは希望するネットワークグループへ表示装置を簡単に加入させることができる。
【０１１３】
＜第６実施形態＞
第６実施形態では、撮像装置が複数のネットワークグループを管理している状況下で、表示装置が新たに加入してきた場合を考える。ここでは具体例として、図１の映像表示システムにおいて、表示装置２００ａ，２００ｂがネットワークグループＡに、表示装置２００ｃ，２００ｄがネットワークグループＢに加入している状況において、表示装置２００ｆが新規加入する状況について説明する。
【０１１４】
複数のネットワークグループは、セッティング情報の同期グループＩＤで管理することができる。撮像装置１００は、値αの同期グループＩＤを含むセッティング情報６００を表示装置２００ａ，２００ｂへ送り、値β（≠α）の同期グループＩＤを含むセッティング情報６００を表示装置２００ｃ，２００ｄへ送る。これにより、撮像装置１００は、異なるネットワークグループを扱うことができる。
【０１１５】
新たに加入する表示装置２００ｆは、ユーザが加入を希望するネットワークグループがない場合には、レポート情報５００の同期グループＩＤはＥｍｐｔｙとなっている。撮像装置１００は、受信したレポート情報５００の同期グループＩＤがＥｍｐｔｙであることを検出した場合、表示装置２００ｆを任意のネットワークグループに加入させる（割り当てる）ことができる。つまり、撮像装置１００は、表示装置２００ｆへ送信するセッティング情報６００の同期グループＩＤを指定することで、ネットワークグループＡ，Ｂ又はそれ以外のネットワークグループへ加入させることができる。また、撮像装置１００は、新たなネットワークグループを生成し、生成したネットワークグループに表示装置２００ｆを加入させることもできる。
【０１１６】
このような状況下において、表示装置２００ｆを安易に既存ネットワークグループに加入させると、表示装置２００ｆが参照装置に取って代わる可能性がある。その場合、表示装置２００ａ，２００ｂや表示装置２００ｃ，２００ｄの遅延量の再計算による表示時刻の同期化プロセスが実行されることで、映像に乱れが発生する可能性がある。そこで、映像表示システムへの表示装置の新規加入を許可する場合には、既存ネットワークグループへの影響が最小限となるような制御を撮像装置１００において行う必要がある。
【０１１７】
図１７は、第６実施形態での撮像装置１７００の概略構成（機能ブロック）を示すブロック図である。撮像装置１７００の機能ブロックのうち、図５の撮像装置１００の機能ブロックと同等の機能ブロックについては、同じ符号を付して、重複する説明を省略する。撮像装置１７００は、図５の撮像装置１００が備えるカウント時間決定部１１０と時間カウント部１１１を備えておらず、図５の撮像装置１００が備えていない優先ネットワークグループ決定部１７０１と情報比較部１７０２を備えている。
【０１１８】
撮像装置１７００の記憶部１０７には、現在管理しているネットワークグループの情報、例えば、各ネットワークグループの同期グループＩＤの値や各ネットワークグループの遅延量等が記憶されている。情報比較部１７０２は、各ネットワークグループに関する情報と、新たに加入する表示装置（ここでは、表示装置２００ｆ）の情報を比較する。情報比較部１７０２による比較結果は、優先ネットワークグループ決定部１７０１に送られ、優先ネットワークグループ決定部１７０１は、新たに加入する表示装置をどのネットワークグループに入れるべきかを決定する。
【０１１９】
図１８（ａ）は、表示装置がネットワークグループへ新たに加入するまでの流れを説明するフローチャートである。図１８（ｂ）は、図１８（ａ）のフローチャート中のＳ１８０２〜Ｓ１８０３の処理をより詳細に説明するフローチャートである。図１８（ａ），（ｂ）のフローチャートにＳ番号で示す各処理（ステップ）は、制御部１０６が記憶部１０７に記憶されたプログラムを読み出して実行することにより、制御部１０６の制御下で撮像装置１７００の各機能ブロックが所定の動作を行うことで実現される。
【０１２０】
表示装置２００ｆのように新たにネットワークグループに加入する表示装置（以下「新規加入装置」と言う）はレポート情報の同期グループＩＤをＥｍｐｔｙとしてネットワークへグループへの加入を試行する。そこで、Ｓ１８００にて制御部１０６は、新規加入装置から受信したレポート情報から新規加入装置の遅延量を取得し、記憶部１０７に記憶する。
【０１２１】
Ｓ１８０１にて制御部１０６は、撮像装置１７００が管理している各ネットワークグループの遅延量を記憶部１０７から読み出し、情報比較部１７０２へ送る。Ｓ１８０２では情報比較部１７０２が、Ｓ１８０１で取得した遅延量を比較し、その結果を優先ネットワークグループ決定部１７０１へ送る。Ｓ１８０３では優先ネットワークグループ決定部１７０１が、新規加入装置を優先的に加入させるネットワークグループを確定する。
【０１２２】
ここで、Ｓ１８０２〜Ｓ１８０３の処理の詳細について、図１８（ｂ）を参照して説明する。Ｓ１８１０にて情報比較部１７０２は、新規加入装置の遅延量を、遅延量の基準値に設定する。Ｓ１８１１にて情報比較部１７０２は、撮像装置１７００が管理している既存ネットワークグループの参照装置に関する遅延量比較テーブルを作成する。Ｓ１８１２にて情報比較部１７０２は、遅延量比較テーブルにある既存ネットワークグループごとに、既存ネットワークグループの遅延量を新規加入装置の遅延量（基準値）と比較する。Ｓ１８１３にて情報比較部１７０２は、Ｓ１８１２での比較結果を書き込んだ遅延量比較テーブルを作成する。
【０１２３】
Ｓ１８１４にて情報比較部１７０２は、すべての既存ネットワークグループの遅延量と基準値との比較が完了したか否かを判定する。情報比較部１７０２は、比較が完了していないと判定した場合（Ｓ１８１４でＮＯ）、処理をＳ１８１２へ戻す。これにより基準値と全ての既存ネットワークグループの遅延量との比較が行われることになる。情報比較部１７０２は、比較が完了したと判定した場合（Ｓ１８１４でＹＥＳ）、遅延量比較テーブルが完成しているため、遅延量比較テーブルを優先ネットワークグループ決定部１７０１へ送り、これにより処理はＳ１８１５へ進められる。
【０１２４】
Ｓ１８１５では優先ネットワークグループ決定部１７０１が、新規加入装置の遅延量（基準値）と既存ネットワークグループの遅延量との関係から、新規加入装置の遅延量が既存ネットワークグループに与える影響度を判定する。Ｓ１８１６にて優先ネットワークグループ決定部１７０１は、新規加入装置を既存ネットワークグループへ加入させる際の優先順位を、影響度の小さいネットワークグループから優先的に選択される順位で確定させる。Ｓ１８１６の処理が終了すると、処理はＳ１８０４へ進められる。
【０１２５】
図１８（ｂ）のフローチャートの処理結果について、図１９を参照して説明する。図１９（ａ）は、新規加入装置の遅延量ｙｙｙが基準値として設定されたことを模式的に示す図である。図１９（ｂ）は、遅延量比較テーブルの例を示す図である。遅延量比較テーブルには、各ネットワークグループとその遅延量、遅延量比較結果（既存ネットワークグループの遅延量と基準値との比較結果）、新規加入装置が参照装置となる可能性、優先順位が書き込まれている。
【０１２６】
遅延量の比較結果は、その時点でセッティング情報６００として既存ネットワークグループへ送信している遅延量と新規加入装置の遅延量（基準値）との大小関係を示している。ここでは、既存ネットワークグループの遅延量が基準値よりも十分大きい（ｂｂｂ＞＞ｙｙｙ）、ほぼ同じ（ａａａ≒ｙｙｙ）、十分小さい（ｚｚｚ＜＜ｙｙｙ）等で比較している。既存ネットワークグループの遅延量が基準値よりも十分に大きい場合に、新規加入装置がその既存ネットワークグループに入っても参照装置になる可能性は低く、既存ネットワークグループへの影響度は小さい。逆に、既存ネットワークグループの遅延量が基準値よりも小さいか同程度である場合には、新規加入装置が参照装置になる可能性が高くなり、遅延量の再計算と表示時刻の同期化プロセスが実行されることで、各表示装置での表示乱れが生じるおそれがある。よって、既存ネットワークグループの遅延量が基準値よりも十分大きくなるものの優先順位を高く設定している。例えば、ネットワークグループＢの遅延量ｂｂｂは基準値ｙｙｙよりも極めて大きいため、新規加入装置が参照装置となる可能性は他のネットワークグループよりも相対的に小さく、よって、優先順位が１番となっている。なお、新規加入装置が参照装置となる可能性の判定基準は、前述のような遅延量の大小関係をより細分化したものであってもよく、その閾値の設定がユーザによって可能となっていてもよい。
【０１２７】
Ｓ１８１６で優先順位が確定すると、処理はＳ１８０４へ進められる。Ｓ１８０４では情報生成部１０５が、同期グループＩＤの値を優先順位が１番のネットワークグループのものに設定したセッティング情報６００を生成し、生成されたセッティング情報６００を通信部１０３が新規加入装置へ送信する。Ｓ１８０４で送信されたセッティング情報６００を受け取った新規加入装置は定期的にレポート情報５００を撮像装置１７００へ送信しているので、Ｓ１８０５では通信部１０３が新規加入装置から送信されてくるレポート情報５００を受信する。
【０１２８】
Ｓ１８０６にて制御部１０６は、Ｓ１８０５で受信したレポート情報５００に含まれる同期グループＩＤの値が、送信したセッティング情報６００の同期グループＩＤの値と同じか否かを判定する。制御部１０６は、同期グループＩＤの値が同じであると判定した場合（Ｓ１８０６でＹＥＳ）、同期グループＩＤの割り振りは完了となるため、本処理を終了させる。一方、制御部１０６は、同期グループＩＤの値が異なると判定した場合、具体的には、レポート情報５００の同期グループＩＤの値がＥｍｐｔｙのままである場合（Ｓ１８０６でＮＯ）、処理をＳ１８０７へ進める。
【０１２９】
Ｓ１８０７にて制御部１０６は、遅延量比較テーブルにおいて優先順位が次点のネットワークグループがあるか否かを判定する。制御部１０６は、優先順位が次点のネットワークグループがあると判定した場合（Ｓ１８０７でＹＥＳ）、処理をＳ１８０８へ進め、優先順位が次点のネットワークグループはないと判定した場合（Ｓ１８０７でＮＯ）、処理をＳ１８０９へ進める。
【０１３０】
Ｓ１８０８では情報生成部１０５が、同期グループＩＤの値を遅延量比較テーブルにおいて優先順位が次点のネットワークグループのものに設定したセッティング情報６００を生成し、生成されたセッティング情報６００を通信部１０３が新規加入装置へ送信する。その後、処理はＳ１８０５へ戻される。この動作は、新規加入装置が好ましくない同期グループＩＤ等を記憶可能な機能を有している場合等に、記憶された好ましくないネットワークグループへの加入を回避させる対策として機能する。
【０１３１】
処理がＳ１８０９へ進む場合とは、遅延量比較テーブルにあるすべてのネットワークグループの同期グループＩＤを順次用いてセッティング情報６００を新規加入装置へ送付しても、レポート情報５００の同期グループＩＤがＥｍｐｔｙのままである場合である。Ｓ１８０９では情報生成部１０５が、既存ネットワークグループにはない新規の同期グループＩＤを設定したセッティング情報６００を生成し、生成されたセッティング情報６００を通信部１０３が新規加入装置へ送信し、これにより本処理は終了となる。
【０１３２】
以上の制御を行うことで、新規加入装置が同期グループＩＤの値をＥｍｐｔｙとして加入してきた場合に、撮像装置は既存ネットワークグループに影響を与えないような同期グループＩＤを新規加入装置に提供することが可能となる。
【０１３３】
ここまで、ネットワークグループへの装置の加入に際して、遅延量というパラメータを比較することで優先順位を判断したが、次に、遅延量以外のパラメータを判断材料に加えた構成について説明する。ここでは図１８（ａ）のＳ１８００〜Ｓ１８０１，Ｓ１８０４〜Ｓ１８０９の処理はそのまま適用可能であるため、Ｓ１８０２，Ｓ１８０３の処理（図１８（ｂ）のフローチャートの処理）に代わって用いられる制御について説明する。また、新規加入装置は表示装置に限られないものとする。
【０１３４】
図２０は、図１８（ｂ）のフローチャートに示される処理の変形例を説明するフローチャートである。Ｓ２０００の処理が開始される前提として、制御部１０６は、新規加入装置の遅延量と固有情報を取得し、記憶部１０７に記憶させる。新規加入装置の固有情報とは、例えば、新規加入装置が有する機能の情報であり、新規加入装置が表示装置であるのか、記憶装置であるのか、或いはリピータ装置であるのか等の情報である。新規加入装置の固有情報は、例えば、撮像装置１００と新規加入装置との間の接続がＬＡＮケーブル３００とＩＰネットワーク４００を介して確立される際に、周知技術を用いて新規加入装置から撮像装置１００へ送信される情報に含まれる。
【０１３５】
Ｓ２０００にて情報比較部１７０２は、新規加入装置の固有情報を記憶部１０７から読み出して、遅延量と固有情報を合わせて基準情報に設定する。Ｓ２００１にて情報比較部１７０２は、撮像装置１７００が管理している既存ネットワークグループの遅延量と固有情報を取得して、情報比較テーブルを作成する。ネットワークグループの固有情報とは、グループを形成している機器の機能、グループが形成されてからの経過時間、グループを形成している機器の台数、グループが新規加入を受け付けないよう保護されているか等の情報である。Ｓ２００２にて情報比較部１７０２は、基準情報と既存ネットワークグループの遅延量及び固有情報とに基づいて、比較項目を設定する。
【０１３６】
Ｓ２００３にて情報比較部１７０２は、Ｓ２００２で設定された比較項目について、既存ネットワークグループごとに遅延量及び固有情報を基準情報と比較する。そして、Ｓ２００４にて情報比較部１７０２は、比較結果テーブルにＳ２００３での比較結果を書き込み、比較結果テーブルを更新する。
【０１３７】
Ｓ２００５にて情報比較部１７０２は、すべての既存ネットワークグループの遅延量及び固有情報に対する比較が完了したか否かを判定する。情報比較部１７０２は、情報比較が完了していないと判定した場合（Ｓ２００５でＮＯ）、処理をＳ２００３へ戻す。これにより基準情報とすべての既存ネットワークグループの遅延量及び固有情報との比較が行われることになる。情報比較部１７０２は、情報比較が完了したと判定した場合（Ｓ２００５でＹＥＳ）、情報比較テーブルが完成しているため、遅延量比較テーブルを優先ネットワークグループ決定部１７０１へ送り、これにより処理はＳ２００６へ進められる。
【０１３８】
Ｓ２００６では優先ネットワークグループ決定部１７０１が、遅延量比較テーブルに基づき、新規加入装置が加入した際に既存ネットワークグループに及ぼされる影響度を判定する。そして、Ｓ２００７にて優先ネットワークグループ決定部１７０１は、新規加入装置を既存ネットワークグループへ加入させる際の優先順位を、影響度の小さいネットワークグループから優先的に選択される順位で確定させる。
【０１３９】
Ｓ２０００〜Ｓ２００７の一連の処理について、図２１を参照して更に説明する。図２１（ａ）は、新規加入装置の基準情報を模式的に示す図であり、新規加入装置の遅延量は‘ｙｙｙ’であり、新規加入装置は表示装置であることを示している。図２１（ｂ）は、情報比較テーブルの例を示す図である。ここでは、既存ネットワークグループの固有情報として、装置種別、グループ形成時間、グループ形成台数、保護の有無を用いている。
【０１４０】
例えば、新規加入装置が表示装置である場合、同じ機能を有する装置で構成されるネットワークグループへ加入させた方がよい場合がある。また、ネットワークグループ形成時間が長いものは、安定したグループであると推測されることから、優先的に加入させることが望ましい。更に、形成台数が多いネットワークグループほど安定していると考えられることから、優先的に加入させるようにしてもよい。つまり、安定しているネットワークグループに対して、新規加入装置を加入させる際の優先度を高めてもよいと判断することができる。これらに限らず、ネットワークグループの保護というパラメータがある場合には、それを最優先すべきであるため、保護されているネットワークグループは優先順位を下げる或いは新規加入を認めないようにしてもよい。
【０１４１】
なお、不図示であるが、比較結果をポイント制等にして、得点に応じにて優先順位をつけることで、優先順位を決めてもよい。例えば、比較項目ごとに最も望ましいネットワークグループでのポイントをゼロ（０）とし、次点を−２、というように順次、マイナスポイントを付していき、合計ポイントの大きい順に優先順位を付けて行くことができる。ポイント制とした場合には、比較項目ごとに付与されるポイントに重み付けを施してもよい。また、比較項目はユーザが任意に選択できるようにしてもよい。このように、遅延量の比較と合わせて遅延量以外のパラメータの比較を行うことにより、ネットワークグループに新規加入装置を加入させる際の優先順位をより適切に付与することができる。
【０１４２】
ところで、第６実施形態では、レポート情報の同期グループＩＤをＥｍｐｔｙとしている表示装置が映像表示システム（ネットワークグループ）へ加入してくることを前提としている。そのため、表示装置が同期グループＩＤを指定して加入してきた場合には、第６実施形態での制御を実施しないようにしてもよい。但し、表示装置が同期グループＩＤを指定して加入してきた場合であっても、第６実施形態での制御の実施は可能である。
【０１４３】
以上、本発明をその好適な実施形態に基づいて詳述してきたが、本発明はこれら特定の実施形態に限られるものではなく、この発明の要旨を逸脱しない範囲の様々な形態も本発明に含まれる。また、上述した各実施形態は本発明の一実施形態を示すものにすぎず、各実施形態を適宜組み合わせることも可能である。例えば、第１乃至第６実施形態を部分的に組み合わせた運用も可能である。また、表示装置でのメニュー表示から、ユーザにより機能を選択させて制御を実行させる構成としてもよい。
【０１４４】
本発明は、上述した実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１４５】
１００，１７００    撮像装置
１０３    通信部
１０５    情報生成部
１０６    制御部
１０７    記憶部
１１０    カウント時間決定部
１１１    時間カウント部
２００，１１００    表示装置
２０１    通信部
２０６    表示部
２１０    レポート生成部
２１３    遅延量算出部
２１４    操作部
２１５    制御部
４００    ネットワーク
５００    レポート情報
６００    セッティング情報
１１０１    グループ一覧表示生成部
１４００    表示同期グループ一覧表示画面
１４０１    カーソル
１７０１    優先ネットワークグループ決定部
１７０２    情報比較部
【図１】
2020108005.tif 000003
【図２】
2020108005.tif 000004
【図３】
2020108005.tif 000005
【図４】
2020108005.tif 000006
【図５】
2020108005.tif 000007
【図６】
2020108005.tif 000008
【図７】
2020108005.tif 000009
【図８】
2020108005.tif 000010
【図９】
2020108005.tif 000011
【図１０】
2020108005.tif 000012
【図１１】
2020108005.tif 000013
【図１２】
2020108005.tif 000014
【図１３】
2020108005.tif 000015
【図１４】
2020108005.tif 000016
【図１５】
2020108005.tif 000017
【図１６】
2020108005.tif 000018
【図１７】
2020108005.tif 000019
【図１８】
2020108005.tif 000020
【図１９】
2020108005.tif 000021
【図２０】
2020108005.tif 000022
【図２１】
2020108005.tif 000023